(57)【要約】【課題】印刷機能を有する情報機器自体がＷＷＷサーバに対して直接アクセスし情報を取得して印刷するための、操作性を向上させること。【解決手段】複写機１の操作部５は、リーダ部７によって生成された画像データを印刷するコピー処理が選択された場合、少なくとも両面印刷設定を含む第１の設定項目に対する印刷設定をユーザに入力可能にし、ＷＷＷサーバ１０から取得されたデータの印刷を行うＷｅｂページ印刷処理が選択された場合、前記第１の設定項目に加えて、少なくとも文書タイトルの印刷設定又はＵＲＬの印刷設定を含む第２の設定項目に対する印刷設定をユーザに入力可能にする。【選択図】図１
2010183611.tif 000002
【特許請求の範囲】
【請求項１】
複写機であって、
原稿を読み取って画像データを生成する読み取り手段と、
ネットワークを介してＷＷＷサーバと通信する通信手段と、
前記読み取り手段によって生成された画像データ又は前記ＷＷＷサーバから取得したデータを印刷する印刷手段と、
前記印刷手段による印刷のための印刷設定をユーザに入力させる操作手段と、
を有し、
前記操作手段は、
前記読み取り手段によって生成された画像データを印刷するコピー処理が選択された場合、少なくとも両面印刷設定を含む第１の設定項目に対する印刷設定をユーザに入力可能にし、
前記ＷＷＷサーバから取得されたデータの印刷を行うＷｅｂページ印刷処理が選択された場合、前記第１の設定項目に加えて、少なくとも文書タイトルの印刷設定又はＵＲＬの印刷設定を含む第２の設定項目に対する印刷設定をユーザに入力可能にすることを特徴とする複写機。
【請求項２】
複写機の制御方法であって、
原稿を読み取って画像データを生成する読み取りステップと、
ネットワークを介してＷＷＷサーバと通信する通信ステップと、
前記読み取りステップによって生成された画像データ又は前記ＷＷＷサーバから取得したデータを印刷する印刷ステップと、
前記印刷ステップによる印刷のための印刷設定をユーザに入力させる操作部を制御する制御ステップと、
を有し、
前記制御ステップは、
前記読み取りステップによって生成された画像データを印刷するコピー処理が選択された場合、前記操作部において、少なくとも両面印刷設定を含む第１の設定項目に対する印刷設定をユーザに入力可能にし、
前記ＷＷＷサーバから取得されたデータの印刷を行うＷｅｂページ印刷処理が選択された場合、前記操作部において、前記第１の設定項目に加えて、少なくとも文書タイトルの印刷設定又はＵＲＬの印刷設定を含む第２の設定項目に対する印刷設定をユーザに入力可能にすることを特徴とする複写機の制御方法。
【発明の詳細な説明】
【技術分野】
【０００１】
本発明は、ネットワーク上のＷＷＷサーバが保持するデータの印刷を行う複写機のデータ処理に関するものである。
【背景技術】
【０００２】
近年、様々な情報を載せたサーバ、いわゆるＷＷＷサーバと、このサーバヘＨＴＴＰ（Ｈｙｐｅｒ Ｔｅｘｔ Ｔｒａｎｓｆｅｒ Ｐｒｏｔｏｃｏｌ）でアクセスするための専用ソフトウエア（以後、ブラウザと呼ぶ）を搭載したコンピュータとをネットワークで接続し、ＷＷＷサーバ上の情報をコンピュータからインターネットあるいはイントラネットを介して参照することが可能となってきた。
【０００３】
これにより、複数のコンピュータから特定のＷＷＷサーバ上の情報を参照し、共有することが出来るようになった。更に、上記ブラウザはＷＷＷサーバ上の情報をコンピュータ内に格納することができるため、ユーザは、印刷機能を有する情報機器に対してコンピュータ内に一旦格納した情報の印刷出力を指示することで、ＷＷＷサーバ上の情報を印刷することも出来るようになった。
【０００４】
また、上記印刷機能を有する情報機器自体がＷＷＷサーバヘのアクセス機能を持つことで、ユーザから指示されたＷＷＷサーバに対して情報機器が直接アクセスし、情報を取得して印刷を行うこともできるようになった。
【発明の概要】
【発明が解決しようとする課題】
【０００５】
印刷機能を有する情報機器がＷＷＷサーバに対して直接アクセスして情報を取得して印刷するためには、印刷の指示や印刷対象となる情報のアドレス等が必要となる。ユーザはこれらの情報を印刷機能を有する情報機器に対して入力しなければならない。しかし、印刷装置等の印刷機能を有する情報機器は、コンピュータが備える操作部に比べて簡易的なものが多く、ユーザがそれらの情報を入力するにあたって操作がし難い場合が多い。このような問題に対して、本発明は、印刷機能を有する情報機器自体がＷＷＷサーバに対して直接アクセスし情報を取得して印刷するための、操作性を向上させることを目的とする。
【課題を解決するための手段】
【０００６】
本発明は、複写機であって、原稿を読み取って画像データを生成する読み取り手段と、ネットワークを介してＷＷＷサーバと通信する通信手段と、前記読み取り手段によって生成された画像データ又は前記ＷＷＷサーバから取得したデータを印刷する印刷手段と、前記印刷手段による印刷のための印刷設定をユーザに入力させる操作手段と、を有し、前記操作手段は、前記読み取り手段によって生成された画像データを印刷するコピー処理が選択された場合、少なくとも両面印刷設定を含む第１の設定項目に対する印刷設定をユーザに入力可能にし、前記ＷＷＷサーバから取得されたデータの印刷を行うＷｅｂページ印刷処理が選択された場合、前記第１の設定項目に加えて、少なくとも文書タイトルの印刷設定又はＵＲＬの印刷設定を含む第２の設定項目に対する印刷設定をユーザに入力可能にすることを特徴とする。
【発明の効果】
【０００７】
本発明によれば、印刷機能を有する情報機器自体がＷＷＷサーバに対して直接アクセスし情報を取得して印刷するにあたって、操作性が向上する。
【図面の簡単な説明】
【０００８】
【図１】本発明の一実施形態を示す画像処理装置を適用可能な画像処理システムの構成を説明するブロック図である。
【図２】図１に示したリーダ部及びプリンタ部の構成を説明する概略断面図である。
【図３】図１に示したコア部の構成を説明するブロック図である。
【図４】図１に示したネットワークインタフェース部のプログラム階層構造を説明する図である。
【図５】図１に示したクライアント端末に格納されるプリントユーティリティで設定可能な項目の一覧を示す図である。
【図６】図１に示したクライアント端末に格納されるプリントユーティリティで設定可能な項目の一覧を示す図である。
【図７】図１に示したクライアント端末の表示装置に表示されるプリントユーティリティの操作画面例を示す図である。
【図８】図１に示したクライアント端末の表示装置に表示されるプリントユーティリティの操作画面例を示す図である。
【図９】図１に示したクライアント端末の表示装置に表示されるプリントユーティリティの操作画面例を示す図である。
【図１０】図１に示したクライアント端末の表示装置に表示されるプリントユーティリティの操作画面例を示す図である。
【図１１】図１に示したクライアント端末の表示装置に表示されるプリントユーティリティの操作画面例を示す図である。
【図１２】図１に示したクライアント端末の表示装置に表示されるプリントユーティリティの操作画面例を示す図である。
【図１３】図１に示したクライアント端末の表示装置に表示されるプリントユーティリティの操作画面例を示す図である。
【図１４】図１に示したデジタル複写機の操作部の操作パネルの一例を示す図である。
【図１５】図１４に示した操作パネル上の詳細項目表示例を示す図である。
【図１６】図１に示したデジタル複写機の操作部の操作パネルの一例を示す図である。
【図１７】図１に示した操作部に表示される印刷時刻指定画面の構成を説明する図である。
【図１８】図１に示した操作部に表示されるブックマーク画面の構成を説明する図である。
【図１９】図１に示した操作部に表示される時刻指定リストの構成を説明する図である。
【図２０】図１に示した操作部に表示される待機ジョブリストの構成を説明する図である。
【図２１】図１に示した操作部に表示されるログリストの構成を説明する図である。
【図２２】本発明に係る画像処理装置における第１のデータ処理手順の一例を示すフローチャートである。
【図２３】図１に示したクライアント端末のプリントユーティリティによるＬＰＲコマンドパケット内のデータファイルの一例を示す図である。
【図２４】図２３に示したＬＰＲコマンドパケット中のコントロールファイルの一例を示す図である。
【図２５】図１に示したクライアント端末のプリントユーティリティからのコマンドフォーマット例を示す図である。
【図２６】本発明に係る画像処理装置における第２のデータ処理手順の一例を示すフローチャートである。
【図２７】本発明に係る画像処理装置における第３のデータ処理手順の一例を示すフローチャートである。
【図２８】本発明に係る画像処理装置を適用可能な画像処理システムで読み出し可能な各種データ処理プログラムを格納する記憶媒体のメモリマップを説明する図である。
【発明を実施するための形態】
【０００９】
図１は、本発明の一実施形態を示す画像処理装置を適用可能な画像処理システムの構成を説明するブロック図であり、ネットワークＮＥＴを介して画像処理を行うデジタル複写機１とクライアント９，ＷＷＷサーバ１０とが通信可能に構成されている場合に対応する。
【００１０】
図において、１は本システムの中心的役割を果たすデジタル複写機で、画像データ等や各種プログラムを格納しておくためのハードディスク３と、ネットワークＮＥＴを介して外部機器と通信を行うためのネットワークインタフェース部４と、デジタル複写機１上で自機に対する動作指示を行うための操作部５と、ネットワークＮＥＴを介して外部機器（クライアント端末（クライアント）９）より送られてきたプリントデータをデジタル複写機１でプリント可能なフォーマットに変換するフォーマッタ部６と、デジタル画像読み取り部（以下「リーダ部」と呼ぶ）７と、その下に配置されたデジタル画像を印刷出力するデジタル画像プリント部（以下「プリンタ」と呼ぶ）８と、これら全ての構成要素を統合して協調動作させるためのコア部２とから成る。
【００１１】
また、ネットワークＮＥＴには、上記デジタル複写機１に対して動作指示を行うためのクライアント端末９と、ＷＷＷ（Ｗｏｒｌｄ Ｗｉｄｅ Ｗｅｂ）サーバ１０とが所定のプロトコルで通信可能に接続されている。
【００１２】
図２は、図１に示したリーダ部７及びプリンタ部８の構成を説明する概略断面図である。
【００１３】
リーダ部７において、１００１は原稿給送装置（ＡＤＦ）で、原稿を最終頁から順に１枚ずつプラテンガラス１０２上へ給送し、原稿の読み取り動作終了後、プラテンガラス１０２上の原稿を排出するものであり、原稿がプラテンガラス１０２上に搬送されるとランプ１０３を点灯し、そしてリーダユニット１０４の移動を開始させて原稿を露光走査する。
【００１４】
この時の原稿からの反射光は、ミラー１０５，１０６，１０７、及びレンズ１０８によってＣＣＤイメージセンサ（以下、ＣＣＤと呼ぶ）１０９へ導かれる。このように走査された原稿の画像情報はＣＣＤ１０９によって読み取られる。ＣＣＤ１０９から出力される画像データは所定の処理が施された後、プリンタ部８及びコア部２へ転送される。
【００１５】
プリンタ部８において、２２１はレーザドライバで、レーザ発光部２０１を駆動するものであり、リーダ部１から出力された画像データに応じたレーザ光をレーザ発光部２０１で発光させる。
【００１６】
このレーザ光は感光ドラム２０２に照射され、感光ドラム２０２にはレーザ光に応じた潜像が形成される。この感光ドラム２０２の潜像の部分には、現像器２０３によって現像剤が付着すると、レーザ光の照射開始と同期したタイミングで，カセット２０４及びカセット２０５のいずれかから記録紙を給紙して転写部２０６へ搬送し、感光ドラム２０２に付着した現像剤を記録紙に転写する。
【００１７】
そして、現像剤の乗った記録紙は定着部２０７に搬送され、定着部２０７の熱と圧力により現像剤は記録紙に定着され、定着部２０７を通過した記録紙は排出ローラ２０８によって排出され、ソータ２２０は排出された記録紙をそれぞれのビンに収納して記録紙の仕分けを行う。
【００１８】
なお、ソータ２２０に仕分けが設定されていない場合は、最上ビンに記録紙を収納する。また、両面記録が設定されている場合は、排出ローラ２０８のところまで記録紙を搬送した後、排出ローラ２０８の回転方向を逆転させ、フラッバ２０９によって再給紙搬送路２１０へ導く。多重記録が設定されている場合は、記録紙を排出ローラ２０８まで搬送しないようにフラッバ２０９によって再給紙搬送路へ導く。再給紙搬送路へ導かれた記録紙は上述したタイミングで再び転写部２０６へ給紙される。
【００１９】
図３は、図１に示したコア部２の構成を説明するブロック図であり、図１と同一のものには同一の符号を付してあり、コア部２は、リーダ部７とデジタルインタフェースを介して接続され、また一方ではバスを介してハードディスク３やネットワークインタフェース部４、操作部５、フォーマッタ部６と接続されている。
【００２０】
リーダ部７にて読み込まれた画像データは、インタフェース部（Ｉ／Ｆ）１２１，コア部メインバスを介してデータ処理部１２４へ転送されるとともに、リーダ部７からの制御コマンドはＣＰＵ１２２へ転送される。データ処理部１２４は画像の回転処理や変倍処理などの画像処理を行うものであり、リーダ部７からデータ処理部１２４へ転送された画像データは、画像データと同時に転送される制御コマンドに応じて、Ｉ／Ｆ１２０を介してハードディスク３、ネットワークインタフェース部４へ転送される。
【００２１】
また、クライアント端末９よりネットワークインタフェース部４を介してプリント要求コマンドが送られてくると、ＣＰＵ１２２は同時に送られてきたＰＤＬデータをフォーマッタ部６へ転送する。その後、ＰＤＬデータはフォーマッタ部６で画像データに展開され、最終的にデータ処理部１２４に転送された後、プリンタ部８へ転送されてプリント出力される。ＣＰＵ１２２は、メモリ１２３に記憶されている制御プログラム、及びリーダ部７から転送された制御コマンドに従ってこのような制御を行う。また、メモリ１２３はＣＰＵ１２２の作業領域としても使われる。
【００２２】
このように、コア部２はリーダ部７、ハードディスク３、ネットワークインタフェース部４、フォーマッタ部６のそれぞれの間のデータの流れを制御し、原稿画像の読み取り、画像のプリント、コンピュータとのデータの入出力などの機能を複合させた処理を行うことが可能である。
【００２３】
図４は、図１に示したネットワークインタフェース部４のプログラム階層構造を説明する図である。
【００２４】
図において、４０５はＩＰ（Ｉｎｔｅｒｎｅｔ Ｐｒｏｔｏｃｏｌ）層で、発信ホストから宛先ホストヘルータ等の中継ノードと連携しながらメッセージを送り届けるサービスを提供するインターネットのプロトコル階層であり、メッセージを送り届けるのに一番重要な情報は発信、宛先のアドレスであり、ＩＰプロトコルにより管理される。なお、メッセージをアドレス情報に従ってインターネットシステム中をどのような経路で宛先ホストまで届けるかというルーティングはＩＰ層で行う。
【００２５】
４０４はトランスポート階層で、ＴＣＰ（Ｔｒａｎｓｍｉｓｓｉｏｎ Ｃｏｎｔｒｏｌ Ｐｒｏｔｏｃｏｌ），ＵＤＰ（Ｕｓｅｒ Ｄａｔａｇｒａｍ Ｐｒｏｔｏｃｏｌ）からなり、発信アプリケーションプロセスから受信アプリケーションプロセスにメッセージを送り届けるサービスを提供する階層である。なお、ＴＣＰはコネクション型サービスであり、通信の高度な信頼性を保証するが、ＵＤＰはコネクションレス型のサービスである為信頼性の保証は行わない。
【００２６】
４０１はアプリケーション階層で、リモートログインサービスであるＴＥＬＮＥＴ、ファイル転送サービスであるＦＴＰ、ネットワーク管理プロトコルであるＳＮＭＰ，ＳＭＴＰ、プリンタ印刷用のサーバプロトコルであるＬＰＤ、ＷＷＷサーバのプロトコルであるＨＴＴＰｄなどが存在する。
【００２７】
また、アプリケーション階層４０１には、ＷＷＷサーバのデータ取得するＨＴＴＰクライアント４０３、取得したＨＴＭＬ形式のデータ及び画像データを用紙上に印刷するためのデータフォーマットに変換するＨＴＭＬＰａｒｓｅｒ４０２が存在する。
【００２８】
本実施例において、デジタル複写機１が能動的に外部のＷＷＷサーバ１０にアクセスし、ＷＷＷサーバ１０内のＨＴＭＬデータを取得して自らのプリンタ部８で印刷を行う機能をＷｅｂ Ｐｕｌｌ Ｐｒｉｎｔと呼ぶ。
【００２９】
なお、ユーザがデジタル複写機１に対してＷｅｂ Ｐｕｌｌ Ｐｒｉｎｔを要求する方法には、次の２つの方法が存在し、１つは、クライアント端末９上で動作している専用プログラム（以下、プリントユーティリティと呼ぶ）を使用して行う方法であり、もう１つはデジタル複写機１の操作部５を使用して行う方法である。
【００３０】
先ず、プリントユーティリティを使用したＷｅｂ Ｐｕｌｌ Ｐｒｉｎｔ要求方法について説明する。
【００３１】
ユーザは、このプリントユーティリティを用いてＷｅｂ Ｐｕｌｌ Ｐｒｉｎｔに関する各種設定を行い、後述するパケットを使用してその設定内容をデジタル複写機１に送信することができる。一方、このパケットを受信したデジタル複写機１は、パケットの内容を解析し、その指示内容に従ってＷｅｂ ＰｕｌｌＰｒｉｎｔ動作を開始する。
【００３２】
また、デジタル複写機１は、プリントユーティリティから受けた複数のＷｅｂＰｕｌｌ Ｐｒｉｎｔ要求をジョブという形でスプールする機能を有している。そして、プリントユーティリティは、後述するパケットを使用してデジタル複写機１と通信を行い、内部にスプールされているジョブに関する情報を取得したり、または特定のジョブを削除することができる。
【００３３】
図５，図６は、図１に示したクライアント端末９に格納されるプリントユーティリティで設定可能な項目の一覧を示す図である。
【００３４】
図において、設定項目番号Ｎ−１は「印刷文書タイトル」で、印刷結果のヘッダ部分に印刷する文書タイトルに対応し、ユーザが編集することも可能に構成されている。設定項目番号Ｎ−２は「ＵＲＬ」で、印刷したいホームページが格納されたサーバのドメイン名、及び取得するＨＴＭＬ形式のデータのファイル名を指定することができる。設定項目番号Ｎ−３は「プリンタアドレス」で、ＷｅｂＰｕｌｌ Ｐｒｉｎｔ要求を送るデジタル複写機１のネットワークアドレスが設定される。設定項目番号Ｎ−４は「ユーザ名」で、任意のユーザ名を入力でき、デジタル複写機１は、このユーザ名からＷｅｂ Ｐｕｌｌ Ｐｒｉｎｔ要求の送り主を特定する。設定項目番号Ｎ−５は「オプションファイル」で、本プリントユーティリティにて設定した全ての内容が保存されたファイルに対応し、予めユーザ毎のオプションファイルを作成しておき、本設定項目にて何れかのファイルを指定することで、全ての設定項目に対して一括して設定を行うことが可能に構成されている。
【００３５】
設定項目番号Ｎ−６は「リンクレベル」で、何階層まで遡るかを数値「０」〜「１０」により指定することが可能に構成されており、本実施形態のデジタル複写機１では、印刷指定したホームページにハイパーリンクが設定されていた場合、そのリンクを辿ってリンク先のホームページも印刷することができるように構成されている。設定項目番号Ｎ−７は「最大印刷ページ数」で、印刷するホームページが複数ページにまたがる際に、印刷するページ数の上限値を、例えば数値「０」〜「１００」により指定することが可能に構成されている。設定項目番号Ｎ−８は「最大印刷ページ数を超えて印刷」で、印刷する１つのホームページが複数ページにまたがり、且つ途中のページが設定項目番号Ｎ−７の「最大印刷ページ数」に当たる場合、そのホームページの最後まで印刷するか否かを指定することができるように構成されている。設定項目番号Ｎ−９は「他サイトの印刷」で、設定項目番号Ｎ−６の「リンクレベル」の指定が「１」以上で、且つリンク先が他のサイトであった際、そのリンク先も印刷するか否かを指定することができるように構成されている。設定項目番号Ｎ−１０は「リンクマップの印刷」で、本実施例のデジタル複写機１では、リンクを辿ってホームページを印刷した際、そのリンク関係を表すリンクマップを作成して印刷するかどうかを「する／しない」で指定することが可能に構成されており、「リンクマップの印刷」を「する」に指定した場合には、ホームページの印刷の最終ページとしてリンクマップが印刷される。
【００３６】
設定項目番号Ｎ−１１は「ページ番号の印刷」で、印刷結果のフッタ部分にページ番号を印刷するか否かを「する／しない」で指定することが可能に構成されている。設定項目番号Ｎ−１２は「日付の印刷」で、印刷結果のフッタ部分に印刷実行日付を印刷するか否かを「する／しない」で指定することが可能に構成されている。設定項目番号Ｎ−１３は「ＵＲＬの印刷」で、印刷結果のフッタ部分にＵＲＬを印刷するか否かを「する／しない」で指定することが可能に構成されている。設定項目番号Ｎ−１４は「文書タイトルの印刷」で、「文書タイトル」を印刷結果のヘッダ部分に印刷するか否かを「する／しない」で指定することが可能に構成されている。設定項目番号Ｎ−１５は「印刷するヘッダの内容」で、印刷結果のヘッダ部分に印刷する任意の文字列が指定可能に構成されている。
【００３７】
設定項目番号Ｎ−１６は「印刷するヘッダの位置」で、「ｒｉｇｈｔ／ｃｅｎｔｅｒ／ｌｅｆｔ」のいずれかを指定可能に構成されており、デフォルトとして「ｒｉｇｈｔ」が指定される。設定項目番号Ｎ−１７は「バックグラウンドの印刷」で、ホームページ内でバックグラウンド描画用の画像が指定されていた場合、それを印刷するか否かを指定することができるように構成されており、ホームページのバックグラウンドカラーが黒等で設定されていた場合、カラーディスプレイ上で表示する場合は問題なくても、自黒プリンタで印刷すると、テキスト部分も黒、バックグラウンドも黒くなりテキストが判断できなくなることを防ぐための設定項目に対応し、「する／しない」で指定することが可能に構成されている。
【００３８】
設定項目番号Ｎ−１８は＜Ｈ＞タグヘの番号付けで、ホームページ内の見出し文の先頭に見出し番号を付加するか否かを「する／しない」で指定することが可能に構成されている。設定項目番号Ｎ−１９は「リンク文書を先に印刷」で、「２」以上のリンクレベルが指定された際、読み出したリンクの順番に印刷するか、または同一リンクレベルを先に印刷するかを「する／しない」で指定することが可能に構成されている。設定項目番号Ｎ−２０は「拡大率／縮小率」で、ホームページを拡大／縮小して印刷する際の拡大率／縮小率を数値「５０」〜「２００」により指定することが可能に構成されている。
【００３９】
設定項目番号Ｎ−２１は「ページ境界時の縮小率」で、本実施形態のデジタル複写機１では、ホームページ上の画像がページ境界にかかる場合、ペ―ジ内に収まるように画像を縮小して印刷することを指定でき、その縮小率を数値「２０」〜「１００」により指定することが可能に構成されている。設定項目番号Ｎ−２２は「フォント名」で、ＨＴＭＬテキストデータを印刷する際に使用するフォントを文字列「……明朝」等で指定することができるように構成されている。
【００４０】
設定項目番号Ｎ−２３は「フォントサイズ」で、ホームページ内の見出し文字列を印刷する際に使用するフォントサイズを、「ｓｍａｌｌ／ｍｅｄｉｕｍ／ｌａｒｇｅ」のいずれかで指定可能に構成されており、デフォルトとして「ｍｅｄｉｕｍ」が指定される。設定項目番号Ｎ−２４は「フォントの太さ」で、ホームページ内の見出し文字列を印刷する際に使用するフォントの修飾を、「ｂｏｌｄ／ｒｅｇｕｌａｒ／ｌｉｇｈｔ」のいずれかで指定可能に構成されており、デフォルトとして「ｒｅｇｕｌａｒ」が指定される。設定項目番号Ｎ−２５は「スタイルシートの使用」で、後述する設定項目番号Ｎ−２６の「スタイルシート名」に対応するファイルのスタイルシートを使用するかどうかを「する／しない」で「スタイルシート名」指定することが可能に構成されている。
【００４１】
なお、設定項目番号Ｎ−２６の「スタイルシート名」は、設定項目番号Ｎ−２２の「フォント名」，設定項目番号Ｎ−２３の「フォントサイズ」，設定項目番号Ｎ−２４の「フォントの太さ」の設定内容を格納したファイル（スタイルシート）が予め存在する場合、そのファイル名を指定する。
【００４２】
これにより、ユーザは個々の項目を設定することなく、これらフォントに関する設定を行うことが可能に構成されている。
【００４３】
設定項目番号Ｎ−２７は「印刷用紙サイズ」で、印刷する際に使用する用紙のサイズを、「Ｌｅｔｔｅｒ／Ｌｅｇａｌ／１１×１７／Ｓｔａｔｅｍｅｎｔ／Ａ３／Ａ４／Ａ５／Ｂ４／Ｂ５」のいずれかを指定可能に構成されており、デフォルトとして「Ｌｅｔｔｅｒ」が指定される。設定項目番号Ｎ−２８は「印刷用紙方向」で、印刷する際の用紙の方向として「Ｐｏｒｔｒａｉｔ」と「Ｌａｎｄｓｃａｐｅ」のいずれかを指定可能に構成されており、デフォルトとして「Ｐｏｒｔｒａｉｔ」が指定される。
【００４４】
設定項目番号Ｎ−２９は「左／右／上／下マージン」で、印刷する際の用紙端からのマージンを、数値「１」〜「１０」により指定することが可能に構成されている。設定項目番号Ｎ−３０は「印刷部数」で、本項目を設定することで複数部数を、「１」〜「１０」により指定することが可能に構成されている。
【００４５】
設定項目番号Ｎ−３１は「ソータ」で、本実施例のデジタル複写機１に接続されているソーター２２０の動作モードを、ソートなし（ｎｏｎｅ）／ノーマルソート（ｎｏｒｍａｌ）／ステープルソート（ｓｔａｐｌｅ）／グループソート（ｇｒｏｕｐ）のいずれかを指定可能に構成されており、ノーマルソートを選択すると複数部数の印刷物をソータ（図２のソータ２２０）のビン毎に１部ずつ仕分けして排出する。
【００４６】
また、ステープルソートを選択するとソートした印刷物をホチキス留めするように設定される。さらに、グループソートを選択すると複数部数の原稿を同一ページの印刷物は同一ビンに排出されるように設定される。
【００４７】
設定項目番号Ｎ−３２は「解像度」で、解像度として「３００／４００／６００」のいずれかを指定可能に構成されている。設定項目番号Ｎ−３３は「両面印刷」で、両面印刷を行うか否かを「する／しない」で指定可能に構成されている。設定項目番号Ｎ−３４は「スケジュール印刷設定」で、スケジュール印刷を「ｎｏ／ｏｎｃｅ／ｗｅｅｋｌｙ／ｍｏｎｔｈｌｙ／ｒｅｐｅａｔｅ」のいずれかで指定可能に構成されている。
【００４８】
なお、本実施形態のデジタル複写機１では、指定された時刻にＷｅｂ Ｐｕｌｌ Ｐｒｉｎｔ動作を開始したり、またはユーザからのＷｅｂ Ｐｕｌｌ Ｐｒｉｎｔ要求を定期的に繰り返すことができ、これらの機能をスケジュールと呼んでいる。具体的には、即時実行モード／時刻指定モード／定期巡回モード（曜日指定／日付指定／間隔指定）があり、本項目ではこれらの中の何れかのモードを後述するように指定する。
【００４９】
設定項目番号Ｎ−３５は「曜日指定」で、設定項目番号Ｎ−３４の「スケジュール印刷設定」にて定期巡回モード（曜日指定）が指定された際、当該項目により実行する曜日を指定可能に構成されている。設定項目番号Ｎ−３６は「日付指定」で、設定項目番号Ｎ−３４の「スケジュール印刷設定」にて時刻指定モード／定期巡回モード（日付／間隔指定）が指定された際、当該項目により開始する日付を指定可能に構成されている。
【００５０】
設定項目番号Ｎ−３７は「時刻指定」で、設定項目番号Ｎ−３４の「スケジュール印刷設定」にて時刻指定モード／定期巡回モードが指定された際、実行開始する時刻を指定可能に構成されている。設定項目番号Ｎ−３８は「間隔指定」で、設定項目番号Ｎ−３４の「スケジュール印刷設定」にて定期巡回モード（間隔指定）が指定された際、実行時間間隔を日にちと時間で指定可能に構成されている。設定項目番号Ｎ−３９は「更新文書のみ印刷」で、設定項目番号Ｎ−３４の「スケジュール印刷設定」にて定期巡回モードで実行する際、前回の印刷時以降に更新されたホームページのみを印刷するか否かを「する／しない」で指定可能に構成されている。
【００５１】
〔第１のスケジュール登録処理〕
図７〜図１３は、図１に示したクライアント端末９の表示装置に表示されるプリントユーティリティの操作画面例を示す図であり、クライアント端末９側からデジタル複写機１に対してＷｅｂ Ｐｕｌｌ Ｐｒｉｎｔの設定を行うための操作例に対応する。
【００５２】
図において、クライアント端末９上でプリントユーティリティが起動されると、先ず図７に示す操作画面が表示される。ここで、前述した図５，図６に示した設定項目Ｎ６〜Ｎ３８の設定を行う場合、本操作画面上の"Ｐｒｉｎｔ Ｓｅｔｕｐ"用のボタンＢＴ１を押下することで、図８に示すＨＴＭＬ ＰｒｉｎｔＰｒｏｐｅｒｔｙ用の操作画面が新たに表示される。
【００５３】
更に、この操作画面上部のタグＴＡＧ１〜ＴＡＧ４を押下することで、図８〜図１１に示す詳細設定用の操作画面へ移動することができる。また、図８〜図１１の操作画面にて"ＯＫ"ボタンＢＴ２あるいは"Ｃａｎｃｅｌ"ボタンＢＴ３を押下することで、図７に示した操作画面へ戻ることができる。
【００５４】
また、図７に示した操作画面右上の"Ｂｏｏｋｍａｒｋ"ボタンＢＴ４を押下することで図１２に示すブックマーク画面が新たに表示される。
【００５５】
なお、ブックマークとは、ホームページのＵＲＬとそのタイトルをリストにしたもので、既に登録されたブックマークが存在する場合、本画面上にそのリストの内容が表示される。そして、リスト内からＵＲＬを指定する場合は、目的のＵＲＬを選択して反転表示させた状態で"ＯＫ"ボタンＢＴ３を押下することで、図７に示した操作画面上のフィールドＦ１、Ｆ２に選択したタイトルとＵＲＬが反映される。
【００５６】
また、新たにタイトルとＵＲＬを追加する場合は、図７に示した操作画面上のフィールドＦ１、Ｆ２にタイトルとＵＲＬを入力した後、"Ａｄｄ Ｂｏｏｋｍａｒｋ"ボタンＢＴ５を押下することで上述のリストにそれらが追加される。
【００５７】
ここで、図１１に示した操作画面上での設定方法について詳しく説明する。例えばスケジュール設定を行う場合、ユーザは先ず「Ｅｎａｂｌｅ Ｓｃｈｅｄｕｌｅ」チェックボックスＦ３４をチェックする。初期設定時はこのチェックボックスＦ３４はチェックされていない状態になっており、この状態ではスケジュールの設定は一切行えないようになっている。
【００５８】
チェックボックス３４をチェックすると、各設定項目Ｆ３４−１，Ｆ３４−２，Ｆ３５，Ｆ３６−１，Ｆ３６−２，Ｆ３７，Ｆ３８，Ｆ３９に対して設定を行えるようになる。続いて、「Ｏｎｃｅ」／「Ｗｅｅｋｌｙ」／「Ｍｏｎｔｈｌｙ」／「Ｒｅｐｅａｔ」の何れかのモードを選択する。
【００５９】
ここで、「Ｏｎｃｅ」モードが選択された場合、設定項目Ｆ３６−１，Ｆ３６−２，Ｆ３７のみが設定可能状態になり、ユーザはＷｅｂ Ｐｕｌｌ Ｐｒｉｎｔの実行開始時刻（年／月／日／時／分）を入力する。この指定により、デジタル複写機１は指定された日時に１度だけＷｅｂ Ｐｕｌｌ Ｐｒｉｎｔを行う。
【００６０】
一方、設定項目Ｆ３４−２で、「Ｗｅｅｋｌｙ」モードが選択された場合、設定項目Ｆ３５，Ｆ３７が設定可能状態になり、ユーザはＷｅｂ Ｐｕｌ１ Ｐｒｉｎｔの実行曜日と実行開始時刻（時／分）を入力する。なお、実行曜日は同時に複数指定することができる。この指定により、デジタル複写機１は指定された曜日の指定された時刻に毎週繰り返しＷｅｂ Ｐｕｌｌ Ｐｒｉｎｔを行う。
【００６１】
一方、設定項目Ｆ３４−２で、「Ｍｏｎｔｈｌｙ」モードが選択された場合、設定項目Ｆ３６−２の「Ｄａｙ」と設定項目Ｆ３７が設定可能状態になり、ユ―ザはＷｅｂ Ｐｕｌｌ Ｐｒｉｎｔの実行日と実行開始時刻（時／分）を入力する。この指定により、デジタル複写機１は指定された日時に毎月繰り返しＷｅｂＰｕｌｌ Ｐｒｉｎｔを行う。
【００６２】
一方、設定項目Ｆ３４−２で、「Ｒｅｐｅａｔ」モードが選択された場合、設定項目Ｆ３６，Ｆ３７，Ｆ３８が設定可能状態になり、ユーザはＷｅｂ Ｐｕｌｌ Ｐｒｉｎｔの実行開始日と実行開始時刻（時／分）、実行間隔（日／時）を入力する。この指定により、デジタル複写機１は指定された実行開始日時から指定された実行間隔毎に繰り返しＷｅｂ Ｐｕｌｌ Ｐｒｉｎｔを行う。
【００６３】
なお、「Ｗｅｅｋｌｙ」／「Ｍｏｎｔｈｌｙ」／「Ｒｅｐｅａｔ」モードが選択された場合、「Ｍｏｄｉｆｉｅｄ Ｏｎｌｙ」を示すチェックボックスＦ３９はチェック可能な状態になる。
【００６４】
ユーザは、上述の方法で図７〜図１１の各操作画面を開き、必要な項目に対して設定を行うことができる。そして，全ての設定が終了した後に，図７に示した操作画面上の"Ｐｒｉｎｔ"ボタンＢＴ６を押下すると、プリントユーティリティはデジタル複写機１に対して設定内容を送信する。
【００６５】
更に、図７に示した操作画面上で"Ｍｏｎｉｔｏｒ"ボタンＢＴ７を押下すると、図１３に示す操作画面が表示される。この際、プリントユーティリティはデジタル複写機１と通信を行い、デジタル複写機１内にスプールされているジョブに関する情報を取得して操作画面上に表示する。
【００６６】
ユーザは、この表示内容を参照することで、スプールされているジョブの処理経過を把握することができる。また、ユーザはスプールされているジョブを削除することもできる。この場合、ユーザは操作画面上に表示されているジョブ情報の中から削除したいジョブを選択して反転表示させ、"Ｄｅｌｅｔｅ"ボタンＢＴ８を押下すると、プリントユーティリティは、指定されたジョブのジョブ番号を含んだ削除要求をデジタル複写機１に対して送信し、この削除要求を受信したデジタル複写機１は、スプールしているジョブの中からジョブ番号が一致するものを削除する。
【００６７】
なお、図７において、Ｆ１〜Ｆ５はフィールドを示し、図８において、Ｆ６，Ｆ７はフィールドを示し、Ｆ８〜Ｆ１５はチェックボックスを示し、図９において、Ｆ１６はフィールドを示し、Ｆ１７〜Ｆ１９，Ｆ２４はチェックボックスを示し、Ｆ２０は設定バーを示し、Ｆ２１〜Ｆ２３はフィールドを示し、図１０において、Ｆ２７〜Ｆ３２はフィールドを示し、Ｆ３３はチェックボックスを示す。
【００６８】
〔第２のスケジュール登録処理〕
次に、デジタル複写機１の操作部５を使用してＷｅｂ Ｐｕｌｌ Ｐｒｉｎｔを要求する方法について説明する。
【００６９】
図１４は、図１に示したデジタル複写機１の操作部５の操作パネルの一例を示す図であり、ＬＣＤパネル部と操作キーとから構成されており、デジタル複写機１の操作部５よりＷｅｂ Ｐｕｌｌ Ｐｒｉｎｔの設定を行うための操作例に対応する。
【００７０】
図において、３００は表示画面で、現在の状態を表示するウインドウであり、現在はコピー可能状態／Ａ４用紙サイズ／拡大率１００％／１部印刷であることを表示している。
【００７１】
３０１はガイドキーであり、操作がわからない時に適切なアドバイスを表示する。３０２，３０４はモード変更キーであり、モード変更キー３０２を押すと画像処理モードがコピーモードに変更され、モード変更キー３０４を押すと、画像処理モードがＷｅｂプリントモードに変更される。
【００７２】
３０５は現在表示できないモードキーを表示するキーであり、このボタンを押すと、プリンタモードキーが表示される。３０６は用紙選択キーであり、このキーを押すと、図１に示したカセット２０４，２０５に収納されている用紙サイズが図１５の（Ａ）に示すように表示され、いずれかのサイズを選択することができる。
【００７３】
３０７は画像処理モード選択キーで、選択可能な画像処理モード、トリミング、マスキング、ネガ／ポジ反転、影処理等がメニュー表示され、いずれかを選択することができる。３０８は両面指定キーで、両面印刷にかかわる処理設定を行う際に押下され、該押下により選択可能なメニューが表示され、片面原稿から片面原稿、片面原稿から両面原稿、両面原稿から両面原稿にコピーをする３つの設定方法からいずれかを選択することができる。
【００７４】
３０９は応用ズームキーで、縦と横の拡大率を変更する際に押下し、該押下により選択可能なズームメニューが表示される。３１０はソータキーで、該ソータキー３１０が押下されると、複数種類のソートモードが図１５の（ｂ）に示すように表示され、該メニュー中で、「ソート」を選択すると、例えば複数部数の印刷物をソータ２２０のビン毎に１部ずつ仕分けして排出することができ、「ステープルソート」を選択すると、ソートした印刷物をホチキス留めするように設定され、図示しない「グループソート」を選択すると、複数部数の原稿を同一ページの印刷物は同一ビンに排出されるように設定される。
【００７５】
３１１は原稿混載キーで、原稿サイズが混載されているか、同一原稿だけであるのか設定する際に押下され、原稿混載が指定されていると、スキャンニングする度に、原稿サイズのチェックが行われ、原稿混載が指定されていなければ最初のページのみ原稿サイズのチェックを行うように設定される。
【００７６】
３１４は等倍ボタンで、拡大率を「１００」％に設定を戻す際に押下される。３１５は縮少キーで、画像記録倍率を定形縮小する際に押下される。３１６は拡大キーで、画像記録倍率を定形拡大する際に押下される。３１８はテンキーで、印刷部数，ＩＤ入力，部門コード等をセットする際に押下する。
【００７７】
３２０はリセットキーで、該リセットキー３２０を押下することにより、コピーに必要なパラメータはデフォルト値に戻される。そして、これらコピーする前に必要なパラメータをセットした後に、スタートキー３１９を押すと、コピー動作が開始される。そして、コピー開始後、ＳＴＯＰキー３２１、リセットキー３２０を押すことによリコピーは中断する。
【００７８】
図１６は、図１に示したデジタル複写機１の操作部５の操作パネルの一例を示す図であり、ＬＣＤパネル部と操作キーとから構成されており、Ｗｅｂ Ｐｕｌｌ Ｐｒｉｎｔモードボタン３０４が押下された際に表示されるＷｅｂ Ｐｕｌｌ Ｐｒｉｎｔモード画面に対応する。なお、図１４と同一のものには同一の符号を付してある。
【００７９】
図において、ウインドウ３００には、現在Ｗｅｂ Ｐｕｌｌ Ｐｒｉｎｔモードであることが表示されており、Ａ４用紙サイズ／拡大率１００％／１部印刷であることを表示している。
【００８０】
３３１はＵＲＬボタンで、アクセスするＷＷＷサーバのドメイン名、取得するＨＴＭＬ形式のデータのファイル名を表示している。このＵＲＬボタン３３１を押すことにより、図示していないアルファベットキーボードが表示され文字列を入力することが可能となる。
【００８１】
３３２は印刷時刻ボタンで、Ｗｅｂ Ｐｕｌｌ Ｐｒｉｎｔを開始するための、後述する図１７に示す日付、時間等を設定するウインドウを開くためのボタンである。なお、ウインドウ内で設定するパラメータの内容は図９のそれと同様であるため、詳しい説明は割愛する。
【００８２】
３３４はＢ００Ｋ ＭＡＲＫキーで、該Ｂ００Ｋ ＭＡＲＫキー３３４を押下すると、後述する図１８に示すＢ００ ＫＭＡＲＫウインドウが表示される。３３５は時刻指定リストボタンで、該時刻指定リストボタン３３５を押下すると、後述する図１９に示す時刻指定リストウインドウが表示される。
【００８３】
３３６は待機ジョブリストキーで、該待機ジョブリストキー３３６を押下すると、後述する図２０に示す待機ジョブリストウインドウが表示される。３８７はログボタンで、該ログボタンを３３７押下すると、後述する図２１に示すログリストウインドウが表示される。
【００８４】
３３８は詳細設定ボタンで、Ｗｅｂ Ｐｕｌｌ Ｐｒｉｎｔに関する詳細なパラメータをセットするためのメニューウインドウを表示するキーである。このウインドウ内で設定されるパラメータは、図５，図６に示した設定項目中から印刷用紙サイズ／両面印刷／ソータ／ＵＲＬ／スケジュール印刷設定／曜日指定／日付指定／時刻指定／間隔指定を除いた全てのものである。
【００８５】
図１７は、図１に示した操作部５に表示される印刷時刻指定画面の構成を説明する図であり、図１６に示した印刷時刻指定キー３３２が押下された際に表示される。
【００８６】
図において、３４０はＯｎｃｅキーで、指定した時刻に印刷する際に押下される。３４１はＷｅｅｋｌｙキーで、指定した曜日で、かつ指定した時刻に印刷する際に押下される。３４２はＭｏｎｔｈｌｙキーで、毎月指定した時刻に印刷する際に押下され、サブ指定キーとして、曜日キー３４４が指定可能に構成されている。３４３はＲｅｐｅａｔキーで、指定した内容を繰り返す際に押下する。
【００８７】
３４５は日付フィールドで、指定した日付が表示される。３４６は時刻フィールドで、現在の時刻が表示される。３４７は間隔フィールドで、繰り返し間隔を指定する。３４８はＯＫボタンで、指定した項目の内容を確定する際に押下する。
【００８８】
図１８は、図１に示した操作部５に表示されるブックマーク画面の構成を説明する図であり、図１６に示したＢｏｏｋ Ｍａｒｋキー３３４が押下された際に表示される。
【００８９】
図において、３５０〜３５４はＵＲＬで、お気に入りのＵＲＬとしてユーザが既に登録済みとしたＵＲＬがリスト表示され、上矢印キー３５６を押すとＵＲＬリストは上にスクロールし、下矢印キー３５７を押すとＵＲＬリストは下にスクロールする。
【００９０】
３５５は登録キーで、該登録キー３５５を押すことにより、図１６に示したＵＲＬボタン３３１で上に表示されているＵＲＬがこのリストに追加登録される。また、ＵＲＬ３５０〜３５４の何れかを選択して反転表示させた後に、ＯＫボタン３５９を押下することで、選択したＵＲＬがＵＲＬボタン３３１上にセットされる。同様に、反転表示させた後に削除ボタン３５８を押すことで、選択したＵＲＬがＵＲＬリストから削除される。
【００９１】
図１９は、図１に示した操作部５に表示される時刻指定リストの構成を説明する図であり、図１６に示した時刻指定リストキー３３５が押下された際に表示される。
【００９２】
図において、３６０〜３６４はジョブで、図１７に示した印刷時刻指定画面で、印刷時刻指定がなされたジョブに対応し、ＵＲＬ３６６，印刷日３６７，印刷時刻３６８から構成され、上矢印キー３６９を押すと時刻指定リストは上にスクロールし、下矢印キー３７０を押すと時刻指定リストは下にスクロールする。３７１は削除ボタンで、任意のジョブを選択して、該削除ボタン３７１を押下すると選択されたジョブが印刷指定ジョブから削除される。
【００９３】
図２０は、図１に示した操作部５に表示される待機ジョブリストの構成を説明する図であり、図１６に示した待機ジョブリスト３３６が押下された際に表示される。
【００９４】
図において、３８０〜３８４は待機ジョブで、他のジョブ実行中で、実行が待たされているジョブに対応し、上矢印キー３８５を押すと待機ジョブリストは上にスクロールし、下矢印キー３８６を押すと待機ジョブリストは下にスクロールする。３８７は削除ボタンで、任意のジョブを選択して、該削除ボタン３８７を押下すると選択されたジョブが待機ジョブから削除される。
【００９５】
図２１は、図１に示した操作部５に表示されるログリストの構成を説明する図であり、図１６に示したログキー３３７が押下された際に、各ジョブの実行結果が表示されている状態に対応し、実行時刻の新しいものから順番に表示され、表示最大数を過ぎた場合は古いものから自動的にリストから削除される。
【００９６】
図において、３８８〜３９２は終了ジョブで、各終了ジョブ３８８〜３９２についてそれぞれのＵＲＬ３９３，日付３９４，時間３９５，結果３９６がその内容とともに表示される。
【００９７】
ここで、ＵＲＬ３９８はアクセスしたＷＷＷサーバのＵＲＬであり、日付３９４、時間３９５はＷＷＷサーバにアクセスした日付，時刻である。
【００９８】
なお、ＷＷＷサーバ１０ヘのアクセス、及び印刷が正常に行われたジョブ３８８，３９１，３９２の結果３９６には"正常終了"が記述され、ユーザがリセットキーにより印刷を中断したようなジョブ３８９の結果３９６には"リセット終了"と記述され、ネットワークやＷＷＷサーバの状態等により正常に印刷できなかったジョブ３９０の結果３９６には"エラー終了"が記述される。
【００９９】
上述したＷｅｂ Ｐｕｌｌ Ｐｒｉｎｔに関する各設定ウインドウにて必要なパラメータを設定した後、最終的に図１６に示したスタートボタン３１９を押下することで、操作部５からコマンド受け取り処理に対してＷｅｂ Ｐｕｌｌ Ｐｒｉｎｔ要求コマンドが発行される。以上が、操作部５を使用してＷｅｂ Ｐｕｌｌ Ｐｒｉｎｔを要求する方法についての説明である。
【０１００】
以下、本実施形態の特徴的構成について説明する。
【０１０１】
上記のように構成された所定の通信媒体（ネットワーク）を介して複数のサーバまたはクライアントと通信可能な画像処理装置（デジタル複写機１）であって、いずれかのサーバ（Ｗｅｄ）上のいずれかのサーバであって、本実施形態ではＷＷＷサーバ１０）にアクセスして所定の情報を取得する取得手段（コア部２がネットワークインタフェース部４を介して取得する）と、前記取得手段により取得した前記所定の情報を解析して出力可能な画像データを生成する生成手段（コア部２がネットワークインタフェース部４を介して取得したＨＴＭＬに基づく情報を解析してプリンタ部８が画像出力可能な画像データ（ＰＤＬデータに変換した場合には、中間データも含む）を生成処理する）と、前記生成手段により生成された前記画像データを出力する出力手段と、前記取得手段がいずれかのサーバにアクセスして前記所定の情報を取得して画像出力するための出力スケジュールを設定する設定手段（コア部２がネットワークインタフェース部４を介してクライアント端末９のプリントユーティリティの画面上で入力されたスケジュールデータに基づいて設定処理するか、あるいは操作部５上の設定画面上で入力されたスケジュールデータに基づいて設定処理する）と、前記設定手段により設定された出力スケジュールに基づいて前記取得手段，前記生成手段，前記出力手段に対する動作指示を制御する制御手段（コア部２がハードディスク３に記憶される制御プログラム（後述する図２２，図２６，図２７のフローチャートに示す手順を含む）に基づいてＷＷＷサーバ１０へのアクセス開始とその終了，取得した情報のプリンタ部８からの出力開始およびその終了を制御する）とを有するので、個々のユーザが設定したサーバにアクセスして所望の情報を取得して意図するタイミングで出力結果を得ることができ、所定の通信媒体を介した個々のユーザからの情報取得要求となるトラフィックが競合して情報伝送効率が低下してしまうことを防止できる。
【０１０２】
また、いずれかのサーバに自動接続でき、ユーザによる接続操作および回覧操作負担を軽減でき、定期的にアクセスしている特定のサーバ上の情報資源から更新された最新の情報を自動的に取得して、ユーザが設定したタイミングで出力結果を得ることができる。
【０１０３】
さらに、前記サーバは、前記クライアントからアクセス可能なワールドワイドウェブサーバとするので、インターネット上で公開されている意図するホームページを管理するサーバに接続して、ユーザが意図する情報を自動的に取得して出力することができる。
【０１０４】
また、前記所定の情報は、前記通信媒体を介して公開されている任意のウェブページの情報であって、テキストデータ，画像データを含むので、ユーザが意図するテキストデータ，画像データ等の情報を自動的に取得して出力することができる。
【０１０５】
さらに、前記設定手段は、前記クライアント端末９より送信（図７〜図１３参照のプリントユーティリティ画面で入力される情報が送信される）されるウェブ出力スケジュール情報に基づいて前記出力スケジュールを設定するので、クライアントのユーティリティを利用して、ユーザのクライアントマシンからユーザが意図する出力スケジュールを設定したり、変更したり、削除する等の操作を容易に行うことができる。
【０１０６】
また、前記設定手段は、操作部５より入力されるウェブ出力スケジュール情報（図１４〜図２１参照）に基づいて前記出力スケジュールを設定するので、画像処理装置に備えられる操作部からユーザが意図する出力スケジュールを設定したり、変更したり、削除する等の操作を容易に行うことができる。
【０１０７】
さらに、前記設定手段により設定される前記出力スケジュールには、前記取得手段が前記サーバにアクセスすべきアクセス先情報，アクセス日時情報，出力日時，画像処理パラメータを含むので、無数のサーバ中から特定のサーバを経由してアクセスされる情報資源を容易に特定し、該特定された情報資源から特定された日時で情報を取得し、かつ、取得した情報を出力するタイミングまでの一連のスケジュールを自在に設定でき、画像処理装置の使用環境に応じて最適なスケジュールを簡単な操作で設定することができる。
【０１０８】
図２２は、本発明に係る画像処理装置における第１のデータ処理手順の一例を示すフローチャートであり、図４に示したＨＴＭＬｐａｒｓｅｒ４０２，ＨＴＴＰクライアント４０３等のプログラムを使いＷＷＷサーバのホームページを印刷する処理手順に対応する。なお、（１）〜（９）は各ステップを示す。以下、このフローチャートを用いて全体的な処理の流れを説明する。
【０１０９】
また、本実施形態において、クライアント端末９上のプリントユーティリティとデジタル複写機１とは、ＴＣＰ／ＩＰの上位プロトコルであるＬＰＲプロトコルを使用して通信を行っている。
【０１１０】
まず、ステップ（１）では、デジタル複写機１のネットワークインタフェース部４ではＬＰＤ（Ｌｉｎｅ Ｐｒｉｎｔｅｒ Ｄｅａｍｏｎ）が動作しており、プリントユーティリティからのＷｅｂ Ｐｕｌｌ Ｐｒｉｎｔ要求／ジョブ情報要求／ジョブ削除要求は、それぞれＬＰＲコマンド／ＬＰＱコマンド／ＬＰＲＭコマンドとしてＬＰＤが受け取る。
【０１１１】
この際、プリントユーティリティにて設定した各パラメータは、ＬＰＲコマンドパケット内のデータファイルの中に文字列データ（図２３にそのデータファイルの一例を示す）として格納されてＬＰＤに送られる。
【０１１２】
図２３は、図１に示したクライアント端末９のプリントユーティリティによるＬＰＲコマンドパケット内のデータファイルの一例を示す図である。
【０１１３】
図において、文字列データは「ＳＴＡＲＴ＿ＯＦ＿ＮＥＴＲＥＴＲＩＥＶＥＲ＿ＰＡＲＡＭＥＴＥＲＳ」で始まり、図示しない「ＥＮＤ＿ＯＦ＿ＮＥＴＲＥＴＲＩＥＶＥＲ＿ＰＡＲＡＭＥＴＥＲＳ」で終わる。また、各パラメータは「パラメータ名＝値」の形式で記述されている。なお、図中の右側の番号は、前述したプリントユーティリティの設定項目の内容説明における通し番号と対応付けるためのものであり、実際のデータファイルには記述されない。
【０１１４】
ただし、プリントユーティリティにて設定したパラメータの中で「印刷文書タイトル」，「ユーザ名」だけはＬＰＲコマンドパケット内のコントロールファイルの中に格納される。
【０１１５】
図２４は、図２３に示したＬＰＲコマンドパケット中のコントロールファイルの一例を示す図である。
【０１１６】
図において、ＣＦ１はホスト名で、例えば"ＨＰＣ００１"の場合に対応する。ＣＦ２はジョブ名で、例えば"Ｊｗｗｗ．ｃａｎｘｘ．ｃｏ．ｊｐ"の場合に対応する。ＣＦ３はユーザ識別情報で、例えば"ＰＭｉｃｈａｅｌ"の場合に対応する。
【０１１７】
これにより、ＬＰＲコマンドパケットとしてネットワークＮＥＴ上を流れるデータは、印刷に必要な設定パラメータのみであるため、従来例のようにホームページデータを印刷可能なフォーマットに変換したデータをネットワークに流す場合と比較して、そのデータ量は極めて少なくて済む。
【０１１８】
一方、コア部２ではＬＰＤからの要求コマンドを受けるためのコマンド受け取り処理が常時動作しており、ＬＰＤはプリントユーティリティからのＬＰＲコマンド／ＬＰＱコマンド／ＬＰＲＭコマンドを、図２５に示すフォーマットヘ変換してコマンド受け取り処理へ送る。このフォーマットの先頭には、コマンド種別（ＬＰＲ／ＬＰＱ／ＬＰＲＭ）を表す識別子が付加されている。
【０１１９】
図２５は、図１に示したクライアントのプリントユーティリティからのコマンドフォーマット例を示す図であり、例えばＬＰＲコマンドフォーマット，ＬＰＱコマンドフォーマット，ＬＰＲＭコマンドフォーマットの場合に対応する。
【０１２０】
図２５の（ａ）はＬＰＲコマンドフォーマットを示し、例えば「コマンド識別子／０３ｈ／データファイルレングス／ＳＰ／データファイル名／ＬＦ／０２ｈ／コントロールファイルレングス／ＳＰ／コントロールファイル名／データファイル／コントロールファイル」から構成される場合に対応する。」
図２５の（ｂ）はＬＰＱコマンドフォーマットを示し、例えば「コマンド識別子／０３ｈ／プリンタキュー名／ＳＰ／ジョブ番号リスト／ＬＦ」から構成される場合に対応する。
【０１２１】
図２５の（ｃ）はＬＰＲＭコマンドフォーマットを示し、例えば「コマンド識別子／０５ｈ／プリンタキュー名／ＳＰ／ユーザ名／ＳＰ／ジョブ番号リスト／ＬＦ」から構成される場合に対応する。
【０１２２】
以下、図２２に基づいてステップ（２）以降の処理について説明する。
【０１２３】
次に、コマンド受け取り処理はその識別子を参照してコマンド種別を判断し、それぞれのフォーマットに合わせてコマンドの中身を解析する（２）。ちなみに、要求コマンドは後述するスケジュールジョブ処理からも発行される。
【０１２４】
操作部５からのプリント指示命令、スケジュールジョブ処理からのプリント指示命令は、クライアント端末９からのプリント指示命令と同一データフォーマット（図１３参照）であるため、コマンド受け取り処理はこれら３カ所からのプリント要求指示命令を統一的に扱うことができる。クライアント端末９及び操作部５からはプリント指示命令の他にジョブの問い合わせ命令やスケジュールジョブの削除命令、即時ジョブの削除命令が発行される。
【０１２５】
次に、ステップ（３）で、ＨＴＴＰクライアントはＷＷＷサーバ１０からホームページのデータであるＨＴＭＬデータ，画像データ等を取得し、ＨＴＴＰクライアントの動作終了後、ステップ（４）で、キャンセルフラグが立っているかどうかを判断し、もしキャンセルフラグが立っていたと判断した場合は、ステップ（８）で、印刷中止処理を実行し、ステップ（９）で、中止したジョブの発行元に対してプリントをキャンセルした旨のメッセージを送信して、処理を終了する。
【０１２６】
一方、ステップ（４）で、キャンセルフラグが立っていないと判断した場合は、ステップ（５）で、ＨＴＭＬパーサ（サーバから取得したデータを基にプリンタ部８にて印刷が行えるように画像を作成するプログラム）がＷＷＷサーバから取得したデータに基づいてプリンタ部８にて印刷が行える画像を作成する。次に、ステップ（６）で、キャンセルフラグが立っているかどうかを判断し、もしキャンセルフラグが立っていたと判断した場合は、処理を終了する。
【０１２７】
一方、ステップ（６）で、キャンセルフラグが立っていないと判断された場合には、ステップ（７）で、ＨＴＭＬ Ｐａｒｓｅｒが作成した画像データをコア部２へ送信して、画像を受け取ったコア部２はプリンタ部８へ画像を転送し、カセット２０４あるいはカセット２０５に収納されている用紙に印刷処理を行った後、Ｗｅｂ Ｐｕｌｌ Ｐｒｉｎｔの実行を完了する。
【０１２８】
図２６は、本発明に係る画像処理装置における第２のデータ処理手順の一例を示すフローチャートであり、図２２に示したコマンド受け取り処理の詳細手順に対応する。なお、（１）〜（１１）は各ステップを示す。
【０１２９】
まず、コア部２がコマンドを受け取ると、ステップ（１）で、先ずそれがジョブの問い合わせコマンドであるかどうか判断し、ジョブの問い合わせコマンドであると判断した場合は、ステップ（１１）で、ジョブリストの取得を行い、ステップ（９）へ進み、コマンドを送信してきた宛先に対して取得したジョブリストをメッセージとして送信して、処理を終了する。なお、この際、コマンド送信元がプリントユーティリティであった場合、プリントユーティリティの操作画面（図１３参照）上に受け取ったデータを表示する。
【０１３０】
一方、ステップ（１）で、受け取ったコマンドがジョブの問い合わせコマンドでないと判断した場合、ステップ（２）で、スケジュールジョブの削除コマンドであるか否かを判断し、スケジュールジョブの削除コマンドであると判断した場合は、ステップ（１０）で、指定されたジョブ番号に対応するジョブ情報をスケジュールリストから削除し、ステップ（９）へ進み、削除後のスケジュールリストをメッセージとしてコマンドを送信してきた宛先に送信して、処理を終了する。
【０１３１】
一方、ステップ（２）で、受け取ったコマンドがスケジュールジョブの削除コマンドでないと判断した場合、ステップ（３）で、即時ジョブの削除コマンドであるか否かを判断し、即時ジョブの削除コマンドであると判断した場合、ステップ（６）で、指定されたジョブがＨＴＴＰクライアントあるいはＨＴＭＬＰａｒｓｅｒで実行中かどうかを判断し、実行中でないと判断した場合は、ステップ（８）で、指定されたジョブ番号に対応するジョブ情報を即時ジョブリストから削除して、ステップ（９）へ進み、削除後のジョブリストをメッセージとしてコマンドを送信してきた宛先に送信して、処理を終了する。
【０１３２】
一方、ステップ（６）で、指定されたジョブがＨＴＴＰクライアントあるいはＨＴＭＬＰａｒｓｅｒで実行中であると判断した場合は、ステップ（７）で、キャンセルフラグを立てて、処理を終了する。
【０１３３】
一方、ステップ（３）で、受け取ったコマンドが即時ジョブ削除コマンドでないと判断した場合、ステップ（４）で、即時ジョブプリントコマンドであるか否かを判断し、即時ジョブプリントコマンドでない場合は、ステップ（５）で、スケジュールジョブのプリントコマンドであるため、このジョブをスケジュールジョブリストに登録して、処理を終了する。
【０１３４】
一方、ステップ（４）で、即時ジョブプリントコマンドであると判断した場合は、ＨＴＴＰクライアントに処理が移る。
【０１３５】
なお、ＨＴＴＰクライアント、ＨＴＭＬＰａｒｓｅｒは１度に複数のジョブを並列的に処理することは行わず、既に別のジョブ処理が動作中である場合、このジョブは即時ジョブリストに登録され、処理が終り次第実行される。
【０１３６】
ここで、スケジュールジョブ登録処理について更に詳細に説明する。
【０１３７】
図１に示したコア部２は、先ず受け取ったプリントコマンド内のスケジュール印刷モードを検知し、各モードに合わせて実際のＷｅｂ Ｐｕｌｌ Ｐｒｉｎｔ開始日時を決定する。まず、「Ｏｎｃｅ」モードであった場合、実際のＷｅｂ Ｐｕｌｌ Ｐｒｉｎｔ開始日時はコマンド内で指定された日付／時刻を使用する。
【０１３８】
一方、検知したスケジュール印刷モードが「Ｗｅｅｋｌｙ」モードであった場合は、実際のＷｅｂ Ｐｕｌｌ Ｐｒｉｎｔ開始日時は、登録時点の日付／時刻以降でもっとも近い指定曜日に対応する日付と指定時刻とする。
【０１３９】
例えば、登録時点の日付／時刻が１日（土曜日）１５：００で指定曜日／時刻が土／月／木曜日１２：００である場合、実際のＷｅｂ Ｐｕｌｌ Ｐｒｉｎｔ開始日時は３日（月曜日）１２：００となる。
【０１４０】
一方、検知したスケジュール印刷モードが「Ｍｏｎｔｈｌｙ」モードであった場合は、実際のＷｅｂ Ｐｕｌｌ Ｐｒｉｎｔ開始日時は、登録時点の日付／時刻以降でもっとも近い指定日付／時刻とする。
【０１４１】
例えば、登録時点の日付／時刻が１１月１日１５：００で指定日付／時刻が１日１２：００である場合、実際のＷｅｂ Ｐｕｌｌ Ｐｒｉｎｔ開始日時は１２月１日１２：００となる。
【０１４２】
一方、検知したスケジュール印刷モードが「Ｒｅｐｅａｔｅ」モードであつた場合、実際のＷｅｂ Ｐｕｌｌ Ｐｒｉｎｔ開始日時は、指定開始日付／時刻と指定間隔から算出される複数の開始タイミングの中で登録時点の日付／時刻以降でもっとも近いものとする。
【０１４３】
例えば、登録時点の日付／時刻が１１月１日１５：００で指定開始日付／時刻が１１月１日１２：００、指定間隔が３日と１２時間である場合、実際のＷｅｂ Ｐｕｌｌ Ｐｒｉｎｔ開始日時は１１月５日０：００となる。
【０１４４】
このようにして各モードに合わせて実際のＷｅｂ Ｐｕｌｌ Ｐｒｉｎｔ開始日時を決定した後、最も開始日時が早い順に並ぶようにソートしながらスケジュールジョブリストヘ登録する。
【０１４５】
以下，図２７に示すフローチャートを参照して、図２６に示したスケジュールジョブ登録処理について詳述する。
【０１４６】
図２７は、本発明に係る画像処理装置における第３のデータ処理手順の一例を示すフローチャートであり、図２６に示したスケジュールジョブ登録処理の詳細手順に対応する。なお、（１）〜（４）は各ステップを示す。また、スケジュールジョブ処理は毎分１回定期的に起動されるものとする。
【０１４７】
まず、ステップ（１）で、スケジュールジョブリスト内にスケジュールジョブが存在するか否かをチェックし、存在しないと判断した場合は、処理を終了する。
【０１４８】
一方、ステップ（１）で、スケジュールジョブリスト内にスケジュールジョブが存在すると判断した場合は、ステップ（２）で、現在の日付／時刻がリストの先頭ジョブの指定開始日付／時刻に達しているか否かを判断し、指定開始日付／時刻に達していないと判断した場合は、処理を終了する。
【０１４９】
一方，ステップ（２）で、指定開始日付／時刻に達していると判断した場合には、ステップ（３）で、ジョブのスケジュール印刷モードを即時モードに変更して、図２２のステップ（２）におけるコマンド受け取り処理にプリント指示コマンドを送信し、プリント指示コマンドの送信後、コア部２はプリント指示されたジョブの次のＷｅｂ Ｐｕｌｌ Ｐｒｉｎｔ開始日時を決定し、ステップ（４）で、再度ジョブをスケジュールジョブリストヘ登録して、ステップ（２）へ戻り、再び現在の日付／時刻がリストの先頭ジョブの指定開始日付／時刻に達しているか否かをチェックする。このように、ステップ（２）〜（４）の処理を繰り返すことで、実行時刻に達した全てのスケジュールジョブを確実に実行する。
【０１５０】
なお、図２２に示したステップ（２）におけるコマンド受け取り処理に送信されたコマンドは、図２２に示したステップ（３）で、即時ジョブとして処理されてＨＴＴＰクライアント処理に渡され、それ以降は前述と同様の処理が行われる。
【０１５１】
なお、本実施例ではネットワークの通信プロトコルにＴＣＰ／ＩＰを用いて説明したが、ＩＰＸ／ＳＰＸ、ＡｐｐｌｅＴａｌｋ等の通信プロトコルを用いても同様の効果が得られる。
【０１５２】
また、クライアント端末９とデジタル複写機１間の通信プロトコルにＬＰＲ／ＬＰＤを用いて説明したがＨＴＴＰ、ＦＴＰ等の通信プロトコルを用いても同様の効果が得られる。
【０１５３】
以下、本実施形態の特徴的構成について図２２等を参照して説明する。
【０１５４】
上記のように構成された所定の通信媒体（ネットワーク）を介して複数のサーバまたはクライアントと通信可能な画像処理装置（デジタル複写機１）のデータ処理方法であって、あるいは所定の通信媒体を介して複数のサーバまたはクライアントと通信可能な画像処理装置を制御するコンピュータが読み出し可能なプログラムを格納した記憶媒体であって、いずれかのサーバにアクセスして所定の情報を取得する取得工程（図２２のステップ（３））と、前記取得工程により取得した前記所定の情報を解析して出力可能な画像データを生成する生成工程（図２２のステップ（５））と、前記生成工程により生成された前記画像データを出力する出力工程（図２２のステップ（７））と、前記取得工程がいずれかのサーバにアクセスして前記所定の情報を取得して画像出力するための出力スケジュールを設定する設定工程（図２６のステップ（５））と、前記設定工程により設定された出力スケジュールに基づいて前記取得工程，前記生成工程，前記出力工程に対する動作指示を決定する決定工程とを有するので、個々のユーザが設定したサーバにアクセスして所望の情報を取得して意図するタイミングで出力結果を得ることができ、所定の通信媒体を介した個々のユーザからの情報取得要求となるトラフィックが競合して情報伝送効率が低下してしまうことを防止できる。
【０１５５】
また、いずれかのサーバに自動接続でき、ユーザによる接続操作および回覧操作負担を軽減でき、定期的にアクセスしている特定のサーバ上の情報資源から更新された最新の情報を自動的に取得して、ユーザが設定したタイミングで出力結果を得ることができる。
【０１５６】
また、前記サーバ（ＷＷＷサーバ１０）は、前記クライアントからアクセス可能なワールドワイドウェブサーバとするので、インターネット上で公開されている意図するホームページを管理するサーバに接続して、ユーザが意図する情報を自動的に取得して出力することができる。
【０１５７】
さらに、前記所定の情報は、前記通信媒体を介して公開されている任意のウェブページの情報であって、テキストデータ，画像データを含むので、ユーザが意図するテキストデータ，画像データ等の情報を自動的に取得して出力することができる。
【０１５８】
また、前記設定工程は、前記クライアント端末９より送信されるウェブ出力スケジュール情報に基づいて前記出力スケジュールを設定するので、クライアントのユーティリティを利用して、ユーザのクライアントマシンからユーザが意図する出力スケジュールを設定したり、変更したり、削除する等の操作を容易に行うことができる。
【０１５９】
さらに、前記設定工程は、操作部５より入力されるウェブ出力スケジュール情報に基づいて前記出力スケジュールを設定するので、画像処理装置に備えられる操作部からユーザが意図する出力スケジュールを設定したり、変更したり、削除する等の操作を容易に行うことができる。
【０１６０】
また、前記設定工程により設定される前記出力スケジュールには、前記取得工程が前記サーバにアクセスすべきアクセス先情報，アクセス日時情報，出力日時，画像処理パラメータを含むので、無数のサーバ中から特定のサーバを経由してアクセスされる情報資源を容易に特定し、該特定された情報資源から特定された日時で情報を取得し、かつ、取得した情報を出力するタイミングまでの一連をスケジュールを自在に設定でき、画像処理装置の使用環境に応じて最適なスケジュールを簡単な操作で設定することができる。
【０１６１】
以下、図２８に示すメモリマップを参照して本発明に係る画像処理装置を適用可能な画像処理システムで読み出し可能なデータ処理プログラムの構成について説明する。
【０１６２】
図２８は、本発明に係る画像処理装置を適用可能な画像処理システムで読み出し可能な各種データ処理プログラムを格納する記憶媒体のメモリマップを説明する図である。
【０１６３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１６４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１６５】
本実施形態における図２２，図２６，図２７に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１６６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１６７】
この場合、記憶媒体から読み出されたプログラムコード自体が本発明の新規な機能を実現することになり、そのプログラムコードを記憶した記憶媒体は本発明を構成することになる。
【０１６８】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１６９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１７０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１７１】
上記実施形態によれば、ある決まった時刻または繰り返しＷＷＷサーバからデータを取得して印刷する際、ユーザはその時刻になるまで待ってから操作指示を行ったり繰り返し同じ操作を行ったりする必要が無くなるため、操作指示に対するユーザの負荷が軽減される。
【０１７２】
また、画像形成装置がＷＷＷサーバからデータを取得するタイミングが分散されるため、ネットワークにかかる負荷も分散される。
【符号の説明】
【０１７３】
１    デジタル複写機
２    コア部
３    ハードディスク
４    ネットワークインタフェース部
５    操作部
６    フォーマッタ部
７    リーダ部
８    プリンタ部
９    クライアント端末
１０    ＷＷＷサーバ
【図１】
2010183611.tif 000003
【図２】
2010183611.tif 000004
【図３】
2010183611.tif 000005
【図４】
2010183611.tif 000006
【図５】
2010183611.tif 000007
【図６】
2010183611.tif 000008
【図７】
2010183611.tif 000009
【図８】
2010183611.tif 000010
【図９】
2010183611.tif 000011
【図１０】
2010183611.tif 000012
【図１１】
2010183611.tif 000013
【図１２】
2010183611.tif 000014
【図１３】
2010183611.tif 000015
【図１４】
2010183611.tif 000016
【図１５】
2010183611.tif 000017
【図１６】
2010183611.tif 000018
【図１７】
2010183611.tif 000019
【図１８】
2010183611.tif 000020
【図１９】
2010183611.tif 000021
【図２０】
2010183611.tif 000022
【図２１】
2010183611.tif 000023
【図２２】
2010183611.tif 000024
【図２３】
2010183611.tif 000025
【図２４】
2010183611.tif 000026
【図２５】
2010183611.tif 000027
【図２６】
2010183611.tif 000028
【図２７】
2010183611.tif 000029
【図２８】
2010183611.tif 000030